(57)【要約】【課題】両側がそれぞれリブにより保持枠に一体的に連結された操作釦の先端が筐体に形成された透孔を貫通して突出するように前記保持枠を前記筐体に固定し、前記操作釦上の押圧位置に応じて前記操作釦を前記リブを回転軸として傾斜方向が異なるようにシーソー状に回転せしめ、その回転方向により前記操作釦に一体的に形成された押し圧部により異なるスイツチを選択的に押圧駆動するシーソー釦スイツチに関するもので、前記透孔と操作釦の外周との隙間を最小限にすることができる具体的構成を提供する。【解決手段】前記リブ３をＵ字状に屈曲せしめた形状にし、前記操作釦１０が前記保持枠２内で前後左右に移動可能に構成することにより、操作つまみの  外周が筐体９に設けられた透孔１３の縁部に接していても上下動可能にした。【選択図】  図１
2004186086.tif 000002
【特許請求の範囲】
【請求項１】
両側がそれぞれヒンジにより保持枠に一体的に連結された操作釦の先端が筐体に形成された透孔を貫通して突出するように前記保持枠を前記筐体に固定し、前記操作釦上の押圧位置に応じて前記操作釦を前記ヒンジを回転軸として傾斜方向が異なるようにシーソー状に回転せしめ、その回転方向により前記操作釦に一体的に形成された押し部により異なるスイツチを選択的に押圧駆動するシーソー釦スイツチにおいて、前記ヒンジを前記操作釦が前記保持枠内で前後左右に移動可能に屈曲せしめた形状にしたことを特徴とするシーソー釦スイツチ。
【請求項２】
前記ヒンジは板状体であり、その厚み方向にＵ字状に屈曲されていることを特徴とする請求項１記載のシーソー釦スイツチ。
【請求項３】
前記ヒンジは板状体であり、その幅方向が前記操作釦の押圧方向と一致するように配置されており、その厚み方向にＵ字状に屈曲されていることを特徴とする請求項２記載のシーソー釦スイツチ。
【発明の詳細な説明】
【０００１】
【発明の属する技術分野】
本発明は、操作釦上の押圧位置により中央部の回転中心軸を中心に、その操作釦が傾斜方向が異なるようにシーソー状に回動し、その回動に伴ってそれぞれ異なるスイッチを駆動する、所謂シーソー釦スイッチに関するもので、特に、前記操作釦が突出して配置されるように筐体に設けられた透孔に小さい間隙をもつて容易に操作釦を組み込むことができる具体的構成に特徴を有するものである。
【０００２】
【従来の技術】
従来よりこの種のシーソー釦スイッチとして、前記操作釦とその回転軸となるねじれ可能なヒンジとそれらを装置の筐体に取り付けるための保持枠体とを一体的に樹脂材で構成したもりが考えられている（例えば、特許文献１参照。）。
【０００３】
図４ないし図７は、その従来例のシーソー釦スイツチを示すものであり、これらの図において、１０は下方が開口した略直方体の箱状の操作釦であり、２はその操作釦１の外周に所定の間隔を有して位置する保持枠である。前記操作釦１０の長手方向の両側壁１０ａの中央部は板状のヒンジ３によりそれぞれ前記保持枠２に連結されており、これらは樹脂材により一体的に形成されている。なお、前記板状のヒンジ３は、その厚み方向が前記直方体形状の操作釦１０の長手方向になるように設定されている。
【０００４】
また、前記両側壁１０ａの先端部は順次幅狭になり後述のプリント基板４への当て部６が形成されており、操作釦１０の短手方向の両側面１０ｂの先端部はＬ字状に屈曲され、それぞれ第１のスイッチ押し部７ａと第２のスイツチ押し部７ｂが形成されている。
【０００５】
以上の構成よりなる操作釦ユニツトの筐体９への取り付けは、筐体９に形成された透孔１３に裏面より操作釦１０をその先端が突出するように挿入し、その後、四辺形状の前記保持枠２の四隅にそれぞれ形成された取り付け孔１を、前記筐体１の裏面に形成された取り付けボス８に挿入固定する。
【０００６】
しかる後、第１のスイッチ５ａと第２のスイッチ５ｂとが配置されたプリント配線基板４を、前記第１および第２のスイツチ５ａ，５ｂがそれぞれ前記第１の押し部７ａと第２の押し部７ｂとの間に若干の間隙を有して対向するように前記筐体９の裏面に固定する。
以上の構成において、直方体形状の操作釦１０の長手方向の上端部Ａを押すと、前記の板状のヒンジ３はその幅方向および長さ方向の力に関しては比較的剛性を有するが厚み方向には弾性変形し易いため、このヒンジ３がねじれて、操作釦１０は前記ヒンジ３を回転軸として図５において反時計方向に回転する。
この回転に伴って前記第１の押し部７ａが第１のスイッチ５ａを押圧駆動し、操作釦１０を押す力を解放すると前記ヒンジ３の弾性復帰力により元の位置に戻る。逆に、操作釦１０の他端部Ｂを押すと、操作釦１０は時計方向に回転し、第２の押し部７ｂが第２のスイッチ５ｂを押圧駆動するものである。
なお、不用意に操作釦１０の中央部を強く押した場合には、前記当て部６がプリント配線基板に当接して、ヒンジ３に大きな力が加わりヒンジ３が破損するのを防止するように構成されている。
【０００７】
【特許文献１】
特開平１１−１３４９７１号公報（図１）
【０００８】
【発明が解決しようとする課題】
しかしながら前述の従来のシーソー釦スイツチは、ヒンジ３が平面状の板状体で構成されているために、操作釦１０とその両側に配した保持枠２との間でヒンジ３が突っ張り、この操作釦１０と保持枠２の距離は変わらない構成になっている。そのため、操作釦１０を筐体９に取り付けた際に、図７に示すように筐体９の透孔１３の幅方向の中心１１と操作釦１０の幅方向の中心１２とにズレＣが生じた場合には、操作釦１０が筐体９に当たって操作釦１０の円滑なシーソー運動を阻害したり、操作釦１０の両側壁１０ａと筐体９との間隔Ｄ，Ｅの隙間偏差｜Ｄ−Ｅ｜が０より大きく隔たり完成度の低いものとなる。そのため前記隙間Ｄ，Ｅの絶対値を大きくして隙間偏差｜Ｄ−Ｅ｜を目立たなくしなければならなかった。しかし、この隙間Ｄ、Ｅの絶対値を大きくするとこの隙間Ｄ，Ｅから内部構造の一部が見たり、異物が入る恐れがある。
そこで本発明は、透孔１３の中心１１と操作釦１０の中心１２とがずれていても前記透孔１３の寸法Ｆと操作釦１０の外形寸法Ｇのみ設計通りに仕上がっていれば必ずしも透孔１３の中心１１と操作釦１０の中心１２とにズレＣが生じても操作釦１０のスムーズなシーソー運動を得ることが出来、さらに筐体９と操作釦１０との隙間をより小さくすることが出来るシーソー釦スイッチを提供することを目的としたものである。
【０００９】
【課題を解決するための手段】
上記目的を達成するために本発明は、従来平面形状の板状であったものをＵ字状に曲がったものにすることにより、操作釦が保持枠との間で前後左右に動くことが出来ように構成したものであり、その結果、筐体の透孔の位置と操作釦との位置がずれていても前記透孔の寸法と操作釦の外周寸法のみ設計通りに仕上がっていれば、操作釦が筐体に当たっていても操作釦の円滑な運動を阻害することなく、透孔の側壁に沿ってスムーズに動くことが出来る。
【００１０】
【発明の実施の形態】
本発明の請求項１に記載の発明は、両側がそれぞれヒンジにより保持枠に一体的に連結された操作釦の先端が筐体に形成された透孔を貫通して突出するように前記保持枠を前記筐体に固定し、前記操作釦上の押圧位置に応じて前記操作釦を前記ヒンジを回転軸として傾斜方向が異なるようにシーソー状に回転せしめ、その回転方向により前記操作釦に一体的に形成された押し圧部により異なるスイツチを選択的に押圧駆動するシーソー釦スイツチにおいて、前記ヒンジを前記操作釦が前記保持枠内で前後左右に移動可能に屈曲せしめた形状にしたことを特徴とするシーソー釦スイツチであり、この構成によれば、筐体の透孔の位置と操作釦との位置がずれていても前記透孔の寸法と操作釦の外周寸法のみ設計通りに仕上がっていれば、操作釦が筐体に当たっていても操作釦の円滑な運動を阻害することなく、透孔の側壁に沿ってスムーズに動くことが出来、従って、操作釦と透孔縁部の間隔を十分小さくできるものである。
本発明の請求項２に記載の発明は、前記ヒンジは板状体であって、その厚み方向にＵ字状に屈曲されていることを特徴とする請求項１記載のシーソー釦スイツチであり、簡単な構成の変更でもって、操作釦と透孔縁部の間隔を十分小さくできるものである。
【００１１】
本発明の請求項３に記載の発明は、前記ヒンジは板状体であって、その幅方向が前記操作釦の押圧方向と一致するように配置されており、その厚み方向にＵ字状に屈曲されていることを特徴とする請求項２記載のシーソー釦スイツチであり、、操作釦と透孔縁部の間隔を十分小さくできるヒンジの有効な具体的形状を提供するものである。
【００１２】
（実施の形態）
以下に本発明の実施の形態について図１ないし図３を参照して説明する。図１は本発明の実施の形態におけるシーソー釦スイッチに使用される操作釦構成を示す平面図、図２は同シーソー釦スイッチの図１におけるＢ―Ｂ線に相当する位置における断面図、図３は同シーソー釦スイッチの図１におけるＡ―Ａ線に相当する位置における断面図であり、これらの図において前述の従来例と同一部位には同一符号を付している。
【００１３】
本実施の形態と従来構成の異なる点は、ヒンジ３の形状にあり、具体的には、従来構成よりやや幅狭な板状のヒンジ３を、その幅方向が操作釦の押圧方向と一致するように、かつ、操作釦１０の側壁と保持枠２との間において板状の厚み方向にＵ字状に屈曲し、操作釦１０が保持枠１０内で前後左右に移動可能に構成した点にある
この構成によれば、筐体に取付けられた際に、仮に、透孔１３の中心線と操作釦の中心とに差異が生じて、操作釦１０の一方の側壁が透孔１３の側壁に接していても、操作釦１０の押圧にともなう前記ヒンジ３の撓みにより、操作釦１０は透孔１３の側壁に沿って動くことが出来る。従って、操作釦１０と透孔１３の間隔を十分小さくできるものである。
【００１４】
なお、操作釦１０の中央部を押すとシーソー運動ではなく、透孔１３に沿って平行運動するので、当て部６を配することによりプリント配線基板４にこの当て部６をあて、ヒンジ３に強い力が掛かることを阻止している。この時、中心部より少しずれた点が押された場合には、当て部６がプリント配線基板４に当接した後にこの当り点を中心にシーソー運動することが出来る。
【００１５】
操作釦１０を押す力を解放するとヒンジ３の弾性復帰力により元の位置に復帰するのは従来構成と同じである。
【００１６】
【発明の効果】
以上のように本発明によれば、ヒンジの簡単な形状変更のみで、操作釦が筐体の透孔に接していても、その透孔に沿って移動できるため透孔と操作釦との隙間をより小さく出来るものである。
【図面の簡単な説明】
【図１】本発明の実施の形態におけるシーソー釦スイッチに使用される操作釦ユニットの平面図
【図２】本発明の実施の形態におけるシーソー釦スイッチの図１におけるＢ―Ｂ線に相当する位置における断面図
【図３】本発明の実施の形態におけるシーソー釦スイッチの図１のＡ―Ａ線に相当する位置における断面図
【図４】従来のシーソー釦スイッチに使用される操作釦ユニットの平面図
【図５】従来のシーソー釦スイッチにおける図４のＢ―Ｂ線に相当する位置における断面図
【図６】従来のシーソー釦スイッチにおける図４のＡ―Ａ線に相当する位置における断面図
【図７】従来のシーソー釦スイッチにおける図４のＡ―Ａ線に相当する位置における拡大断面図
【符号の説明】
１  取付け孔
２  保持枠
３  ヒンジ
４  プリント配線基板
５ａ，５ｂ  スイッチ
６  当て部
７ａ，７ｂ  スイッチ押し部
８  ボス
９  筐体
１０  操作釦
１１  操作釦の中心線
１３  透孔
【図１】
2004186086.tif 000003
【図２】
2004186086.tif 000004
【図３】
2004186086.tif 000005
【図４】
2004186086.tif 000006
【図５】
2004186086.tif 000007
【図６】
2004186086.tif 000008
【図７】
2004186086.tif 000009